(57)【要約】 【課題】  河川の水位を制御することに依って、川底に少しでも水が流れている間は水車を回転させて発電が継続されるようにするための新規な「河川発電における水位制御方法及びその装置」の提供を図ったものである。【解決手段】  河川の水流に依り水車を回転させて発電するようにした河川発電において、当該河川における水車が位置する部分に区画された水路の水位を、当該水路の川幅の広狭調節によって水位のほぼ一定化を図り、これにより発電用水車を回転が齟齬なく行われるようにしたことを特徴とする河川発電における水位制御方法【選択図】  図２
2014169650.tif 000002
【特許請求の範囲】
【請求項１】
河川の水流に依り水車を回転させて発電するようにした河川発電において、当該河川における水車が位置する部分に区画された水路の水位を、当該水路の川幅の広狭調節によって水位のほぼ一定化を図り、これにより発電用水車を回転が齟齬なく行われるようにしたことを特徴とする河川発電における水位制御方法。
【請求項２】
河川における水車が位置する部分に、所要の制御用可動岸板を設けることに依って区画された水路を形成し、当該対向する制御用可動岸板の広狭間隔を河川水量に基づく水圧により制御するように構成することに依って、上記区画された水路内の水位の一定化を図るように構成した河川発電における水位制御装置。
【請求項３】
河川の所要箇所に制御用可動岸板(1,2)を設けることに依って区画された水路を形成すると共に、基端縁を河川の岸壁側において枢支したリンク板(1a,1b及び2a.2b)を、当該可動岸板(1,2)の前後両端縁に対して先端縁を枢着し、前記制御用可動岸板(１及び２)の後端縁部及び先端縁部に対してスプリング(1c,1d及び2c,2d)を取付け、河川の水圧に基づき可動岸板(1,2)の迫出し度の調節が成されるように構成した請求項２に記載の河川発電における水位制御装置。
【請求項４】
区画された水路の形成を、河川本来の一方の護岸を利用して形成するように構成した請求項２に記載の河川発電における水位制御装置。
【発明の詳細な説明】
【技術分野】
【０００１】
本発明は、河川の流れを利用して水車を回転させることに依り発電するようにした河川用発電に際し、当該河川の水量増減影響を受けることなく、安定した発電用水車の回転が成される水位が確保出来るようにした「河川発電における水位制御方法及びその装置」に関する。
【背景技術】
【０００２】
従来、河川の流れを利用して水車を回転させ，これに依り発電させるようにした発電機は各種のものが存在する。  然し乍、この種の発電機に於ける大きな問題点は、河川の水位が下がった場合、水車を回すことが出来ず、発電不能と言うような事態を招いてしまうことにあった。
【０００３】
このような問題を解決する手段として、水車を水位に即応させて上下動させるように構成したものがある(例えば特許文献１、特許文献２、特許文献３参照、)。
【先行技術文献】
【特許文献】
【０００４】
【特許文献１】特開２００１−２６３２１７号公報
【特許文献２】特開２０１２−０３１８３７号公報
【特許文献３】特開２００８−２６７３６９号公報
【発明の概要】
【発明が解決しようとする課題】
【０００５】
上述したように発電用水車を水位に合わせて上下動させるようにしたものであっても、水位が水底近くまで下がってしまった場合は、当然ながら発電不能とされることを余儀なくされた。  
【０００６】
本発明は水車側を移動するのではなく、河川の水位を制御することに依って、川底に少しでも水が流れている間は水車を回転させて発電が継続されるようにするための新規な「河川発電における水位制御方法及びその装置」の提供を図ったものである。
【課題を解決するための手段】
【０００７】
本発明は請求項１に記載のように、河川の水流に依り水車を回転させて発電するようにした河川発電において、当該河川における水車が位置する部分に区画された水路の水位を、当該水路の川幅の広狭調節によって水位のほぼ一定化を図り、これにより発電用水車を回転が齟齬なく行われるようにしたことを特徴とする河川発電における水位制御方法に係る。
【０００８】
本発明は請求項２に記載のように、河川における水車が位置する部分に、所要の制御用可動岸板を設けることに依って区画された水路を形成し、当該対向する制御用可動岸板の広狭間隔を河川水量に基づく水圧により制御するように構成することに依って、上記区画された水路内の水位の一定化を図るように構成した河川発電における水位制御装置に係る。
【０００９】
本発明は請求項３に記載のように、河川の所要箇所に制御用可動岸板(1,2)を設けることに依って区画された水路を形成すると共に、基端縁を河川の岸壁側において枢支したリンク板(1a,1b及び2a.2b)を、当該可動岸板(1,2)の前後両端縁に対して先端縁を枢着し、前記制御用可動岸板(１及び２)の後端縁部及び先端縁部に対してスプリング(1c,1d及び2c,2d)を取付け、河川の水圧に基づき可動岸板(1,2)の迫出し度の調節が成されるように構成した請求項２に記載の河川発電における水位制御装置を実施の態様とする。
【００１０】
本発明は請求項４に記載のように、区画された水路の形成を、河川本来の一方の護岸を利用して形成するように構成した請求項２に記載の河川発電における水位制御装置を実施の態様とする。
【発明の効果】
【００１１】
本発明は請求項１に記載のような構成、すなわち、水車を回転させて発電するようにした河川発電において、当該河川における水車が位置する部分に区画された水路の水位を、当該水路の川幅の広狭調節によって水位のほぼ一定化を図るようにしたから、発電用水車の位置を変更することしなくその回転が齟齬なく行われることとなる。  従って、河川水位の増減とは無関係に、発電用水車の安定的回転、ひいては安定的電気供給が果たされる。
【００１２】
本発明は請求項２に記載のような構成、すなわち、河川における水車が位置する部分に、所要の制御用可動岸板を設けることに依って区画された水路を形成し、当該対向する制御用可動岸板の広狭間隔を河川水量に基づく水圧により制御するように構成することに依って、上記区画された水路内の水位の一定化を図るように構成したから、河川自体の水位には無関係に常に安定した発電用水車の回転が図られる。  そして、当該水位の調節は河川の流水圧力に基づき成されるため、その無動力性と構成の簡易性から、管理が著しく低コストにして、簡便に達成される。
【００１３】
本発明は請求項３に記載のような構成、すなわち、河川の所要箇所に制御用可動岸板(1,2)を設けることに依って区画された水路を形成すると共に、基端縁を河川の岸壁側において枢支したリンク板(1a,1b及び2a.2b)を、当該可動岸板(1,2)の前後両端縁に対して先端縁を枢着し、前記制御用可動岸板(１及び２)の後端縁部及び先端縁部に対してスプリング(1c,1d及び2c,2d)を取付け、河川の水圧に基づき可動岸板(1,2)の迫出し度の調節が成されるように構成したから、請求項１に記載の方法の具体的実施が図られる。  そして請求項２に記載の「無動力性と構成の簡易性から管理が著しく低コストにして、簡便に達成される」と言うような作用具体的実行が果たされる。
【００１４】
本発明は請求項４に記載のような構成、すなわち、区画された水路の形成を、河川本来の一方の護岸を利用して形成するように構成したから、一方の制御用可動岸板を省略することが出来、従って、設置コストの半減化が図られる。
【図面の簡単な説明】
【００１５】
【図１】本発明の第１実施例を表した説明用平面図である。
【図２】同上作動状態を表した説明用平面図である。
【図３】本発明の第２の実施例を表した説明用平面図である。
【図４】本発明の第３の実施例の一部分を表した説明用正面図である。
【図５】同上側面図である。
【図６】同上作動状態を表した説明用正面図である。
【発明を実施するための形態】
【００１６】
本発明に係る方法は、従来の河川発電が、既述したように河川の水位に対して水車側を移動させることに依って発電の継続かつ連続性を図っていたのを、河川の水位を制御することに依って、川底に少しでも水が流れている間は水車を回転させて発電が継続されることが出来るようにしたものである。
【００１７】
すなわち、本発明に係る方法は、河川の水流に依り水車を回転させて発電するようにした河川発電において、当該河川における水車が位置する部分に区画された水路の水位を、当該水路の川幅の広狭調節によって水位のほぼ一定化を図り、これにより発電用水車を回転が齟齬なく行われるようにしたことを特徴とする河川発電における水位制御方法に係る。
【００１８】
図１及び図２は上記した本発明に係る方法の実行を可能化するための装置の一例を表したものである。  そして、図１は水位が高い状態、すなわち、流水圧力が高い状態にある場合の河川を表したものである。
【００１９】
図１において、１および２は左右対称的に対向させた制御用可動岸板であって、河川内所要箇所、すなわち、発電用水車がある場所に区画された水路を形成するためのものである。  
【００２０】
1a,1b及び2a.2bは上記可動岸板1,2の前後両端縁に対して先端縁を枢着したリンク板あって、その基端縁は河川の岸壁側において枢支してある。  換言すると、当該可動岸板1,2はリンク板1a,1b及び2a.2bの枢着的連結に基づき、平行四辺形の原理で、河川の岸壁側からその中心方向への迫出的移動の自由化が保たれた状態で支持されている。
【００２１】
1c,1d及び2c,2dは前記制し御用可動岸板１及び２の後端縁部及び先端縁部に対して取り付けたスプリングである。  同スプリング1c,1d及び2c,2dは、リンク板1a,1b及び2a.2bリンク板1a,1b及び2a.2bを図２に示すように河川の岸壁と直角方向に位置させた状態を保ち、これにより御用可動岸板１及び２を迫出し状態に保つような復元力を具えたものである。
【００２２】
ところで、図１は水位が高い状態、すなわち、流水圧力が高い状態にある場合の河川を表したものである。  そのため、当該流水が川上側のリンク板1a.2aに当たりその圧力に基づき、上記したスプリング1c,1d及び2c,2d  に抗して可動河川岸板1,2が岸壁寄りに押付けられることとなる。  従って、可動河川岸板1,2により区画された水路内の水位は、河川本来の水位を保つ。
【００２３】
図２は図１の状態から河川の水位が著しく低下した状態を表したものである。  すなわち、当該水位低下に基づき流水圧力が弱まるため、川上側のリンク板1a.2aに衝接する流水圧力が低下し、上記スプリング1c,1d及び2c,2dの復元力に基づき可動岸板1,2を同図に示すように川の中央部に押し出し、当該部分において狭小な水路を形成することとなる。
【００２４】
図２に示す状態にあって、区画された水路の川幅は可動岸板1,2間の距離Mとされ、本来の川幅Lより大幅に狭められたこととなる。  そのためこの部分を流れる水量は変わらないが、川幅が狭められた分だけ水位が上昇することとなる。
【００２５】
換言すると、河川自体の水位(水量)に即応して川上側のリンク板1a.2aに衝接する流水圧力が変化するため、可動岸板1,2間の開き度(距離M)が当該圧力に即応して調節され、その結果、当該部分間の発電用水車に対応させた水位の適正化が、当該流水圧力に基づき自動的に制御されることとなる。
【００２６】
当該区画された水路の水位がその制御幅に基づき規定の高さとなるように設定することに依り、その上方に発電用水車を設置すれば、その回転は河川本来の水位に関わりなく継続して行われることとなる。
【００２７】
なお、図示の実施例にあっては一単位の可動岸板1,2を用いているが，これを複数単位連ねるようにして実施する場合もある。
【００２８】
図３は本発明の他の実施例を表したものであって、制御用可動岸板11及び12の前後に開閉用スプリング13を対称的に取付けると共に、当該制御用可動岸板11及び12の川上側端縁に水圧を受けるためのリンク板14.15を取付けるように構成したものである。
【００２９】
図４乃至図６は制御用可動岸板21及び22をスプリング23,24によって連結し、可動岸板21及び22間を流れる水圧に基づきスプリング23,24を伸縮させ、当該可動岸板21及び22間の幅の調節に基づく水位の適正化を図るように構成したものである。  本発明はこのような形態で実施する場合もある。
【００３０】
ところで、図面に示す実施例は河川の中央部分に区画された水路を形成するようにしたため、制御用可動岸板１および２は左右対称的とされるが、当該水路を河川の何れか側に寄せて形成した場合は、必ずしも対称性を要するものではない。  そして、極端な場合、区画された水路の形成を、河川本来の一方の護岸を利用して形成するように構成した場合、制御用可動岸板は一方側だけに設ければよい。  本発明はこのような形態で実施することもできる。
【符号の説明】
【００３１】
１  制御用可動岸板
1a 
リンク板
1b   リンク板
1c   スプリング
1d 
スプリング
２  制御用可動岸板
2a 
リンク板
2b 
リンク板
2c 
スプリング
2d 
スプリング
L 
本来の川幅
M   狭められた川幅
11   制御用可動岸板
12  制御用可動岸板
13  開閉用スプリング
14  リンク板
21  制御用可動岸板
22  制御用可動岸板
23  スプリング
24  スプリング
【図１】
2014169650.tif 000003
【図２】
2014169650.tif 000004
【図３】
2014169650.tif 000005
【図４】
2014169650.tif 000006
【図５】
2014169650.tif 000007
【図６】
2014169650.tif 000008